(57)【特許請求の範囲】
【請求項１】
課金情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の課金情報に応じて前記他の番組の中から表示すべき番組を特定し表示する番組情報提供手段とを備えたことを特徴とする情報表示装置。
【請求項２】
視聴率情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索した前記他の番組の視聴率情報に応じて前記他の番組の中から表示すべき番組を特定し表示する番組情報提供手段とを備えたことを特徴とする情報表示装置。
【請求項３】
放送画質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報に応じて前記他の番組の中から表示すべき番組を特定し表示する番組情報提供手段とを備えたことを特徴とする情報表示装置。
【請求項４】
放送音質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報に応じて前記他の番組の中から表示すべき番組を特定し表示する番組情報提供手段とを備えたことを特徴とする情報表示装置。
【請求項５】
番組情報を記憶する番組情報記憶手段と、番組毎の課金情報を記憶する課金情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の課金情報を前記課金情報記憶手段が記憶した課金情報から取得し、取得した前記他の番組の課金情報に応じて前記他の番組の中から表示すべき番組を特定し表示する番組情報提供手段とを備えたことを特徴とする情報表示装置。
【請求項６】
番組情報を記憶する番組情報記憶手段と、番組毎の視聴率情報を記憶する視聴率情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索した前記他の番組の視聴率情報を前記視聴率情報記憶手段が記憶した視聴率情報から取得し、取得した前記他の番組の視聴率情報に応じて前記他の番組の中から表示すべき番組を特定し表示する番組情報提供手段とを備えたことを特徴とする情報表示装置。
【請求項７】
番組情報を記憶する番組情報記憶手段と、番組毎の放送画質情報を記憶する放送画質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報を前記放送画質情報記憶手段が記憶した放送画質情報から取得し、取得した前記他の番組の放送画質情報に応じて前記他の番組の中から表示すべき番組を特定し表示する番組情報提供手段とを備えたことを特徴とする情報表示装置。
【請求項８】
番組情報を記憶する番組情報記憶手段と、番組毎の放送音質情報を記憶する放送音質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報を前記放送音質情報記憶手段が記憶した放送音質情報から取得し、取得した前記他の番組の放送音質情報に応じて前記他の番組の中から表示すべき番組を特定し表示する番組情報提供手段とを備えたことを特徴とする情報表示装置。
【発明の詳細な説明】
【０００１】
【発明の属する技術分野】
本発明は、情報表示装置に関し、特にテレビ番組情報をモニタ上に表示する電子番組ガイドの改善を図ったものに関するものである。
【０００２】
【従来の技術】
従来、一般家庭で放送されているアナログ形式のテレビ受信機では、視聴者が見たいと思う番組を新聞や雑誌等に記載されたものから参照し、そのチャンネルをリモコン等で選択することで、所望の番組を視聴することができる。
【０００３】
一方、近年実用化されつつあるデジタル方式放送では数十から数百のチャンネルを提供することが可能であり、映像データと一緒に番組情報を送信し、受信機側でこれを分析して、モニタ上に番組表を表示する電子番組ガイドサービスが重要なものとなる。
【０００４】
従来の情報表示装置では、視聴者は、例えば、特表平６−５０４１６５公報に示されるような、横方向に時間軸を設け、縦方向に番組を対応づけて表示する形式のサービスを受け、画面上に区画して表示された各番組を代表するセルを、リモコンなどの入力機器を用いて画面上に表示されるカーソルを操作して指示し、選択することによって、所望の番組を選択し、該選択された番組の視聴や録画予約などを容易に行なうことができる。
【０００５】
【発明が解決しようとする課題】
従来の情報表示装置は以上のように構成されており、各チャンネルの番組内容をモニタ上で参照することができ、非常に便利である。しかし以下のような問題が挙げられる。
【０００６】
番組表の中から所望の番組を見つけるためには、番組表やチャンネル一覧等を利用して根気よく検索する場合が多い。しかし、より細かいユーザ嗜好で番組を検索することは難しい。例えば、見ようとしている番組と同じものでもっと課金額が安い番組、今まで見ていた番組と同じような番組で現在人気がある番組、見ようとしている番組と同じものでもっと画質や音質が良い番組を見つけることは難しい。
【０００７】
この発明は、上記のような問題点を解消するためになされたもので、例えば、見ようとしている番組と同じものでもっと課金額が安い番組を表示することのできる情報表示装置を提供することを目的とする。
【０００８】
また、この発明は、今まで見ていた番組と同じような番組で現在人気がある番組を表示することのできる情報表示装置を提供することを目的とする。
【０００９】
また、この発明は、見ようとしている番組と同じものでもっと画質や音質が良い番組を表示することのできる情報表示装置を提供することを目的とする。
【００１０】
【課題を解決するための手段】
上記課題を解決するために、本発明（請求項１）にかかる情報表示装置は、課金情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の課金情報に応じて前記他の番組の中から表示すべき番組を特定し表示する番組情報提供手段とを備えたものである。
【００１１】
また、本発明（請求項２）にかかる情報表示装置は、視聴率情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索した前記他の番組の視聴率情報に応じて前記他の番組の中から表示すべき番組を特定し表示する番組情報提供手段とを備えたものである。
【００１２】
また、本発明（請求項３）にかかる情報表示装置は、放送画質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報に応じて前記他の番組の中から表示すべき番組を特定し表示する番組情報提供手段とを備えたものである。
【００１３】
また、本発明（請求項４）にかかる情報表示装置は、放送音質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報に応じて前記他の番組の中から表示すべき番組を特定し表示する番組情報提供手段とを備えたものである。
【００１４】
また、本発明（請求項５）にかかる情報表示装置は、番組情報を記憶する番組情報記憶手段と、番組毎の課金情報を記憶する課金情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の課金情報を前記課金情報記憶手段が記憶した課金情報から取得し、取得した前記他の番組の課金情報に応じて前記他の番組の中から表示すべき番組を特定し表示する番組情報提供手段とを備えたものである。
【００１５】
また、本発明（請求項６）にかかる情報表示装置は、番組情報を記憶する番組情報記憶手段と、番組毎の視聴率情報を記憶する視聴率情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索した前記他の番組の視聴率情報を前記視聴率情報記憶手段が記憶した視聴率情報から取得し、取得した前記他の番組の視聴率情報に応じて前記他の番組の中から表示すべき番組を特定し表示する番組情報提供手段とを備えたものである。
【００１６】
また、本発明（請求項７）にかかる情報表示装置は、番組情報を記憶する番組情報記憶手段と、番組毎の放送画質情報を記憶する放送画質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報を前記放送画質情報記憶手段が記憶した放送画質情報から取得し、取得した前記他の番組の放送画質情報に応じて前記他の番組の中から表示すべき番組を特定し表示する番組情報提供手段とを備えたものである。
また、本発明（請求項８）にかかる情報表示装置は、番組情報を記憶する番組情報記憶手段と、番組毎の放送音質情報を記憶する放送音質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報を前記放送音質情報記憶手段が記憶した放送音質情報から取得し、取得した前記他の番組の放送音質情報に応じて前記他の番組の中から表示すべき番組を特定し表示する番組情報提供手段とを備えたものである。
【００１７】
【発明の実施の形態】
実施の形態１．
図１は本発明の実施の形態１による情報表示装置を示す構成図である。本実施の形態１による情報表示装置は、番組の送り手が定義する番組の価値として、番組情報に含まれて配信される各番組の課金額を用い、これに基づいて、番組表で選択された番組に対して、当該選択番組と番組内容が同一でかつ番組課金額の安価な他の番組を表示するようにしたものである。
【００１８】
図１において、送信されてくる番組情報には、図３に示されるように、複数の番組のチャンネル番号，  番組タイトル，  放送時刻，  課金情報，  ジャンル，  視聴率等の多くの情報が所定のフォーマットで含まれる。１１は上記番組情報を受けてこれを記録する番組情報記憶手段、１２は各番組情報をそれぞれ分割された複数のセルのひとつに対して割り付けてモニタ１３に表示する番組表提供手段、１４は番組表に対してカーソルを提供するカーソル提供手段、１５は番組表の中のいずれのセルにカーソルが位置しているかを検出するカーソル位置検出手段、１６はカーソルが位置するセルに対応する番組を選択する番組選択手段、１７は番組情報記憶手段１１に記録された番組情報の中から、選択した番組の番組タイトル（番組名）と全く同じ番組タイトル（番組名）をもつ他の番組を検索し、さらにこの同一タイトルの番組の中から課金額が選択した番組の課金額よりも安い番組を検出しモニタに表示する番組情報提供手段（安価番組提供手段）である。
【００１９】
次に、本実施の形態１の情報表示装置の動作を図２に示すフローチャートを参照しつつ説明する。
まずステップ１において、番組情報記憶手段１１は番組情報を受けて、図３に示すような番組情報を記憶する。ステップ２において、番組表提供手段１２は記憶している番組情報を番組表としてモニタ１３に提供する。例えば、図４のように、３チャンネルの２時間分スケジュールを番組表として表示する。番組情報は各番組に対する様々なデータをもっているが、番組表ではその内のひとつである番組タイトルだけを表示する。ステップ３において、カーソル提供手段１４で提供されるカーソルの位置をカーソル位置検出手段１５で検出し、番組選択手段１６でカーソル位置にある番組を選択する。本実施の形態では、番組表中の「番組Ａ」が選択されたとする。ここで選択された「番組Ａ」の課金額は１０００円である。ステップ４において、安価番組提供手段１７は選択した番組と番組タイトル（番組名）が全く同じである番組を番組情報から検索する。さらに選択した番組の課金額より安い課金額をもつ番組を同一のタイトルを持つ番組の中から選択し、モニタ１３にそれを提供する。例えば図５のように、モニタ１３には同一のタイトル「番組Ａ」を持ち、かつ課金額が１０００円よりも安い番組が表示される。視聴者は、この番組表示をみて、希望する場合には、より安価な番組を選択することができる。
【００２０】
このように、本実施の形態１による情報表示装置では、受信した番組情報を記憶する番組情報記憶手段１１と、番組情報記憶手段１１に記憶された番組情報に基づいて番組表を作成し、この番組表をモニタ１３上に提供する番組表提供手段１２と、番組表上にカーソルを提供する手段カーソル提供手段１４と、カーソルの番組表上の位置を検出するカーソル位置検出手段１５と、検出されたカーソル位置にある番組を選択する番組選択手段１６と、番組情報記憶手段１１に番組情報が記憶された番組の中から、番組選択手段１６により選択された番組と同一の内容の他の番組を検索し、検出された他の番組のうちその課金額が選択された番組の課金額よりも安い番組についての情報を提供する番組情報提供手段（安価番組提供手段）１７とを備えた構成としたから、選択した番組と同じ内容の番組を探し、さらにその検索した番組を番組の課金額を利用してしぼり込むことができ、視聴者が最も気にしている番組の課金額が最も安くて、見たい番組を容易に提供することができる。
【００２１】
なお、本実施の形態では、安価番組提供手段１７が、検索した同一番組名の番組の中から課金額が選択した番組の課金額よりも安い番組を検出して提供する構成としたが、安価番組提供手段１７が、検索した同一番組名のすべての番組の課金額を安い順にソートして提供する構成としてもよい。
【００２２】
また、安価番組提供手段１７が、課金額が選択した番組の課金額よりも安い同一番組名の番組を検出し、その検出した番組をその課金額の安い順にソートして提供する構成としてもよい。
【００２３】
また、本実施の形態では、安価番組提供手段１７が、番組タイトル（番組名）のマッチングで同一内容の番組を検索していたが、番組タイトル以外の、番組内容，出演者などの他の番組情報を用いて同一内容の番組を検索するようにしてもよい。
【００２４】
実施の形態２．
図６は本発明の実施の形態２による情報表示装置を示す構成図である。本実施の形態２による情報表示装置は、番組の送り手が定義する番組の価値として、番組情報に含まれて配信される各番組の視聴率情報を用い、これに基づいて、番組表で選択された番組に対して、当該選択番組と類似する番組で、かつ視聴率の高い他の番組を表示するようにしたものである。
【００２５】
図６において、送信されてくる番組情報には、図３に示されるように、複数番組のチャンネル番号，  番組タイトル，  放送時刻，  課金情報，  ジャンル，  視聴率等の多くの情報が所定のフォーマットで含まれる。６１は上記番組情報を受けてこれを記録する番組情報記憶手段、６２は各番組情報をそれぞれ分割された複数のセルのひとつに対して割り付けてモニタ６３に表示する番組表提供手段、６４は番組表に対してカーソルを提供するカーソル提供手段、６５は番組表の中のいずれのセルにカーソルが位置しているかを検出するカーソル位置検出手段、６６はカーソルが位置するセルに対応する番組を選択する番組選択手段、６７は番組情報記憶手段６１に記録された番組情報の中から、選択した番組のジャンルと同一のジャンルをもつ番組を類似番組として検索し、さらにその類似番組の中で視聴率が高い類似番組を検出しモニタに表示する番組情報提供手段（高視聴率番組提供手段）である。
【００２６】
次に、本実施の形態２の情報表示装置の動作を図７に示すフローチャートを参照しつつ説明する。
まずステップ１において、番組情報記憶手段６１は番組情報を受けて、図３に示す内容のデータを記憶する。ステップ２において、番組表提供手段６２は記憶している番組情報を番組表としてモニタ６３に提供する。本実施の形態では例えば、図４のように、３チャンネル、２時間分のスケジュールを番組表としてモニタ６３に表示する。図４に示すように、通常番組表には番組タイトルが表示される。ステップ３において、カーソル提供手段６４で提供されるカーソルの位置をカーソル位置検出手段６５で検出し、番組選択手段６６でカーソル位置にある番組を選択する。本実施の形態では、番組表中の「番組Ｂ」が選択されたとする。ここで選択された「番組Ｂ」のジャンルは「料理」、視聴率は１２％である。ステップ４において、高視聴率番組提供手段６７は選択された番組とジャンルが全く同じである番組を選択された番組の類似番組として、これを番組情報記憶手段６１に記憶している番組情報から検出し、さらに検出した類似番組の中からその視聴率が１０％より高い類似番組を選択し、モニタ６３にそれを提供する。ただし、高い視聴率の基準値は前もって設定するものとし、ここではその値を１０％としている。例えば図８のように、モニタ６３には視聴率の高い類似番組が表示される。
【００２７】
このように、本実施の形態２による情報表示装置では、受信した番組情報を記憶する番組情報記憶手段６１と、番組情報記憶手段６１に記憶された番組情報に基づいて番組表を作成し、この番組表をモニタ６３上に提供する番組表提供手段６２と、番組表上にカーソルを提供する手段カーソル提供手段６４と、カーソルの番組表上の位置を検出するカーソル位置検出手段６５と、検出されたカーソル位置にある番組を選択する番組選択手段６６と、番組情報記憶手段６１に番組情報が記憶された番組の中から、番組選択手段６６により選択された番組と同一のジャンルの他の番組を検索し、検出された他の番組のうちその視聴率が高い番組についての情報を提供する番組情報提供手段（高視聴率番組提供手段）６７とを備えた構成としたから、選択した番組と似ている番組を探し、さらにその検索した番組を視聴率情報を利用してしぼり込むことができ、いつも見ている番組と同じような番組で、さらに現在人気がある番組を提供することができる。
【００２８】
なお、本実施の形態では、高視聴率番組提供手段６７が、選択した番組のジャンルと同一のジャンルをもつ番組を類似番組として検索する構成としたが、高視聴率番組提供手段６７が、ジャンル以外の番組内容，出演者等の番組情報を用いて類似番組を検索する構成としてもよい。
【００２９】
また、高視聴率番組提供手段６７が、検索した類似番組の中で視聴率が高い類似番組（視聴率が１０％以上の番組）を検出して提供する構成としているが、高視聴率番組提供手段６７が、すべての類似番組をその視聴率が高い順にソートして表示する構成としてもよい。
【００３０】
また、高視聴率番組提供手段６７が、検索した類似番組の中で視聴率が高い類似番組を検出し、さらにこの高視聴率類似番組を視聴率が高い順にソートして表示する構成としてもよい。
【００３１】
実施の形態３．
図９は本発明の実施の形態３による情報表示装置を示す構成図である。本実施の形態３による情報表示装置は、番組の送り手が定義する番組の価値として、番組情報に含まれて配信される各番組の画質に関する情報を用い、これに基づいて、番組表で選択された番組に対して、当該選択番組と同一内容の番組で、かつ放送画質の高い他の番組を表示するようにしたものである。
【００３２】
図９において、送信されてくる番組情報は、図３に示されるように、複数番組のチャンネル番号，  番組タイトル，  放送時刻，  課金情報，  ジャンル，  視聴率，  画質の良さを判断する画質値，  音質の良さを判断する音質値等の多くの情報が所定のフォーマットで含まれる。９１は上記番組情報を受けてこれを記録する番組情報記憶手段、９２は各番組情報をそれぞれ分割された複数のセルのひとつに対して割り付けてモニタ９３に表示する番組表提供手段、９４は番組表に対してカーソルを提供するカーソル提供手段、９５は番組表の中のいずれのセルにカーソルが位置しているかを検出するカーソル位置検出手段、９６はカーソルが位置するセルに対応する番組を選択する番組選択手段、９７は番組情報記憶手段９１に記録された番組情報の中から、選択した番組の番組タイトルと全く同じ番組タイトル（番組名）をもつ番組を検索し、さらにこの同一タイトルの番組の中から画質値が予め設定された基準値（本実施の形態ではこの基準値を５としている）よりも高い番組を画質が良い番組として検出して提供する番組情報提供手段（高画質番組提供手段）である。
【００３３】
次に本実施の形態３の情報表示装置の動作を図１０に示すフローチャートを参照しつつ説明する。
まずステップ１において、番組情報記憶手段９１は番組情報を受けて、図３に示すような番組情報を記憶する。ここで、画質の良さを判断する画質値は０から１０までの整数値とし、数値が大きいほど画質が良いとする。ステップ２において、番組表提供手段９２は記憶している番組情報を番組表としてモニタ９３に提供する。本実施の形態では例えば、図４のように、３チャンネルの２時間分のスケジュールを番組表としてモニタ９３に表示する。図４に示すように、通常番組表には番組タイトル（番組名）が表示される。ステップ３において、カーソル提供手段９４で提供されるカーソルの位置をカーソル位置検出手段９５で検出し、番組選択手段９６でカーソル位置にある番組を選択する。本実施の形態では、番組表中の「番組Ａ」が選択されたとする。ここで選択された「番組Ａ」の画質値は５である。ステップ４において、高画質番組提供手段９７は選択した番組と番組タイトル（番組名）が全く同じである番組、すなわち番組名が「番組Ａ」である番組を番組情報記憶手段９１に記憶している番組情報から検索する。さらに検索された同一番組名の番組の中から画質値が大きい値（５より大きい値）をもつ番組を選択し、モニタ９３にそれを提供する。例えば図１１のように、モニタ９３には同一番組名「番組Ａ」をもち、かつ画質値が５より良い画質をもつ他の番組が表示される。
【００３４】
このように、本実施の形態３による情報表示装置では、受信した番組情報を記憶する番組情報記憶手段９１と、番組情報記憶手段９１に記憶された番組情報に基づいて番組表を作成し、この番組表をモニタ９３上に提供する番組表提供手段９２と、番組表上にカーソルを提供する手段カーソル提供手段９４と、カーソルの番組表上の位置を検出するカーソル位置検出手段９５と、検出されたカーソル位置にある番組を選択する番組選択手段９６と、番組情報記憶手段９１に番組情報が記憶された番組の中から、番組選択手段９６により選択された番組と同一の内容の他の番組を検索し、検出された他の番組のうちその放送画質が高い番組についての情報を提供する番組情報提供手段（高画質番組提供手段）９７とを備えた構成としたから、選択した番組と同じ内容の番組を探し、さらにその検索した番組を番組の画質を考慮して絞り込むことができ、視聴者が見たい番組でもっと画質のきれいなものを容易に提供することができる。
【００３５】
なお、本実施の形態では、高画質番組提供手段９７が、番組タイトル（番組名）のマッチングで同一内容の番組を検索していたが、番組タイトル以外の、番組内容，出演者などの他の番組情報を用いて同一内容の番組を検索するようにしてもよい。
【００３６】
また、画質値として０から１０までの整数値を用いその数値が大きいほど画質が良いとしたが、数値が小さいほど画質が良いとしてもよく、また、画質値として０から１０までの整数値を用いていたが、数値の大小が判別できればどのような範囲の数値を用いてもよい。また、画質値として０から１０までの整数値を用いていたが、受信した放送画像の圧縮率を用いてもよい。また、画質値として０から１０までの整数値を用いていたが、その他画質の良し悪しを表現する数値あるいは記号を用いてもよい。
【００３７】
実施の形態４．
図１２は本発明の実施の形態４による情報表示装置を示す構成図である。本実施の形態４による情報表示装置は、番組の送り手が定義する番組の価値として、番組情報に含まれて配信される各番組の音質に関する情報を用い、これに基づいて、番組表で選択された番組に対して、当該選択番組と同一内容の番組で、かつ放送音質の高い他の番組を表示するようにしたものである。
【００３８】
図１２において、送信されてくる番組情報には、図３に示されるように、複数番組のチャンネル番号，番組タイトル，放送時刻，課金情報，ジャンル，視聴率，画質の良さを判断する画質値，音質の良さを判断する音質値等の多くの情報が所定のフォーマットで含まれる。１２１は上記番組情報を受けてこれを記録する番組情報記憶手段、１２２は各番組情報をそれぞれ分割された複数のセルのひとつに対して割り付けてモニタ１２３に表示する番組表提供手段、１２４は番組表に対してカーソルを提供するカーソル提供手段、１２５は番組表の中のいずれのセルにカーソルが位置しているかを検出するカーソル位置検出手段、１２６はカーソルが位置するセルに対応する番組を選択する番組選択手段、１２７は番組情報記憶手段１２１に記録された番組情報の中から、選択した番組の番組タイトル（番組名）と全く同じ番組タイトル（番組名）をもつ他の番組を検索し、さらにこの同一タイトルの番組の中から音質値が予め設定された基準値（本実施の形態ではこの基準値を５としている）よりも高い番組を音質が良い番組として検出して提供する番組情報提供手段（高音質番組提供手段）である。
【００３９】
次に本実施の形態４の情報表示装置の動作を図１３に示すフローチャートを参照しつつ説明する。
まずステップ１において、番組情報記憶手段１２１は番組情報を受けて、図３に示すような番組情報を記憶する。ここで、音質の良さを判断する音質値は０から１０までの整数値とし、数値が大きいほど音質が良いとする。ステップ２において、番組表提供手段１２２は記憶している番組情報を番組表としてモニタ１２３に提供する。本実施の形態では例えば、図４のように、３チャンネルの２時間分のスケジュールを番組表としてモニタ１２３に表示する。図４に示すように、通常番組表には番組タイトル（番組名）が表示される。ステップ３において、カーソル提供手段１２４で提供されるカーソルの位置をカーソル位置検出手段１２５で検出し、番組選択手段１２６でカーソル位置にある番組を選択する。本実施の形態では、番組表中の「番組Ａ」が選択されたとする。ここで選択された「番組Ａ」の音質値は５である。ステップ４において、高音質番組提供手段１２７は選択した番組と番組タイトル（番組名）が全く同じである番組、すなわち番組名が「番組Ａ」である番組を番組情報記憶手段１２１に記憶している番組情報から検索する。さらに検索された同一番組名の番組の中から音質値が大きい値（５より大きい値）をもつ番組を選択し、モニタ１２３にそれを提供する。例えば図１４に示すように、モニタ１２３には同一番組名「番組Ａ」をもち、かつ音質値が５より高い、高音質の他の番組が表示される。
【００４０】
このように、本実施の形態４による情報表示装置では、受信した番組情報を記憶する番組情報記憶手段１２１と、番組情報記憶手段１２１に記憶された番組情報に基づいて番組表を作成し、この番組表をモニタ１２３上に提供する番組表提供手段１２２と、番組表上にカーソルを提供する手段カーソル提供手段１２４と、カーソルの番組表上の位置を検出するカーソル位置検出手段１２５と、検出されたカーソル位置にある番組を選択する番組選択手段１２６と、番組情報記憶手段１２１に番組情報が記憶された番組の中から、番組選択手段１２６により選択された番組と同一の内容の他の番組を検索し、検出された他の番組のうちその放送音質が高い番組についての情報を提供する番組情報提供手段（高音質番組提供手段）１２７とを備えた構成としたから、選択した番組と同じ内容の番組を探し、さらにその検索した番組を番組の音質を考慮して絞り込むことができ、視聴者が見たい番組でもっと高音質なものを容易に提供することができる。
【００４１】
なお、本実施の形態では、高音質番組提供手段１２７が、番組タイトル（番組名）のマッチングで同一内容の番組を検索していたが、番組タイトル以外の、番組内容，出演者などの他の番組情報を用いて同一内容の番組を検索するようにしてもよい。
【００４２】
また、音質値として０から１０までの整数値を用いその数値が大きいほど音質が良いとたが、数値が小さいほど画質が良いとしてもよく、また、音質値として０から１０までの整数値を用いていたが、数値の大小が判断できればどのような範囲の数値を用いてもよい。また、音質値として０から１０までの整数値を用いていたが、モノラルあるいはステレオのいずれかを用いてもよい。また、音質値として０から１０までの整数値を用いていたが、受信した放送音声の圧縮率を用いてもよい。また、音質値として０から１０までの整数値を用いていたが、その他音質の良し悪しを表現する数値あるいは記号を用いてもよい。
【００４３】
実施の形態５．
図１５は本発明の実施の形態５による情報表示装置を示す構成図である。本実施の形態２による情報表示装置は、番組の送り手が定義する番組の価値として、番組情報とは別途に提供される各番組の視聴率情報を用い、これに基づいて、番組表で選択された番組に対して、当該選択番組と類似する番組で、かつ視聴率の高い他の番組を表示するようにしたものである。
【００４４】
図１５において、送信されてくる番組情報は、図１７に示されるように、複数番組のチャンネル番号，番組タイトル，放送時刻，課金情報，ジャンル等の多くの情報が所定のフォーマットで含まれる。１８１は上記番組情報を受けてこれを記録する番組情報記憶手段、１８２は各番組情報をそれぞれ分割された複数のセルのひとつに対して割り付けてモニタ１８３に表示する番組表提供手段、１８４は番組表に対してカーソルを提供するカーソル提供手段、１８５は番組表の中のいずれのセルにカーソルが位置しているかを検出するカーソル位置検出手段、１８６はカーソルが位置するセルに対応する番組を選択する番組選択手段である。また、１８８は番組情報とは別途に提供される各番組の視聴率に関する情報を保持するデータベースであり、情報表示装置と通信回線等により接続されている。１９０は番組情報とは別途に提供される各番組の視聴率に関する情報をデータベース１８８に入力する視聴率情報入力手段である。また、１８７は番組に関する視聴率をデータベース１８８から取得する視聴率取得手段、１８９は番組情報記憶手段１８１に記録された番組情報の中から、選択した番組のジャンルと同一のジャンルをもつ番組を類似番組として検索し、さらにその類似番組に関する視聴率情報を視聴率取得手段１８７を介して取得して、類似番組の中で視聴率が高い類似番組を検出しモニタに表示する番組情報提供手段（高視聴率番組提供手段）である。
【００４５】
次に本実施の形態５の動作を図１６に示すフローチャートを参照しつつ説明する。まずステップ１において、番組情報記憶手段１８１は番組情報を受けて、図１７に示す内容のデータを記憶する。ステップ２において、番組表提供手段１８２は記憶している番組情報を番組表としてモニタ１８３に提供する。例えば図４のように、３チャンネル、２時間分のスケジュールを番組表としてモニタに表示される。通常番組表には番組タイトルが表示される。ステップ３において、カーソル提供手段１８４で提供されるカーソルの位置をカーソル位置検出手段１８５で検出し、番組選択手段１８６でカーソル位置にある番組を選択する。本実施の形態では、番組表中の「番組Ｂ」が選択されたとする。番組情報記憶手段１８１に記憶されている番組情報から、「番組Ｂ」のジャンルは「料理」であることがわかる。ステップ４において、視聴率取得手段１８７は、各番組の視聴率が記憶されているデータベース１８８から、ステップ４で選択した番組の視聴率を取得する。データベース１８８には予め視聴率情報入力手段１９０を介して図１８に示すような番組に関する視聴率、例えばその番組の前回放映分の視聴率が記録されている。ここで選択された「番組Ｂ」の視聴率は１２％である。ステップ５において、高視聴率番組提供手段１８９は選択した番組とジャンルが全く同じである番組を選択された番組の類似番組として、これを番組情報記憶手段１８１に記憶している番組情報から検出し、さらに検出した類似番組に関する視聴率情報を視聴率情報を視聴率取得手段１８７を介してデータベース１８８より取得し、検出した類似番組の中からその視聴率が１０％より高い類似番組を選択し、モニタ１８３にそれを提供する。ただし、高い視聴率は前もって設定するものとし、ここではその値を１０％としている。本実施の形態５においても上記実施の形態２と同様、例えば図８のように、モニタ１８３には視聴率の高い類似番組が表示される。
【００４６】
このように、本実施の形態５による情報表示装置では、受信した番組情報を記憶する番組情報記憶手段１８１と、番組情報記憶手段１８１に記憶された番組情報に基づいて番組表を作成し、この番組表をモニタ１８３上に提供する番組表提供手段１８２と、番組表上にカーソルを提供する手段カーソル提供手段１８４と、カーソルの番組表上の位置を検出するカーソル位置検出手段１８５と、検出されたカーソル位置にある番組を選択する番組選択手段１８６と、番組情報記憶手段１８１に番組情報が記憶された番組の中から、番組選択手段１８６により選択された番組と同一のジャンルの他の番組を検索し、検出された他の番組のうちその視聴率が高い番組についての情報を提供する番組情報提供手段（高視聴率番組提供手段）１８９とを備えた構成としたから、選択した番組と似ている番組を探し、さらにその検索した番組を視聴率情報を利用してしぼり込むことができ、いつも見ている番組と同じような番組で、さらに現在人気がある番組を提供することができる。
【００４７】
なお、本実施の形態では、高視聴率番組提供手段１８９が、選択した番組のジャンルと同一のジャンルをもつ番組を類似番組として検索する構成としたが、高視聴率番組提供手段１８９が、ジャンル以外の番組内容，出演者等の番組情報を用いて類似番組を検索する構成としてもよい。
【００４８】
また、高視聴率番組提供手段１８９が、検索した類似番組の中で視聴率が高い類似番組（視聴率が１０％以上の番組）を検出して提供する構成としているが、高視聴率番組提供手段１８９が、すべての類似番組をその視聴率が高い順にソートして表示する構成としてもよい。
【００４９】
また、高視聴率番組提供手段１８９が、検索した類似番組の中で視聴率が高い類似番組を検出し、さらにこの高視聴率類似番組を視聴率が高い順にソートして表示する構成としてもよい。
【００５０】
また、本実施の形態では、視聴率取得手段が、番組の視聴率情報を各番組の視聴率が格納されているデータベースから取得していたが、インターネットでつながるＷＷＷ（Ｗｏｒｌｄ  Ｗｉｄｅ  Ｗｅｂ）等の情報格納ファイルから取り出す構成としても良い。また、情報表示装置自体が各番組の視聴率を格納する記憶手段を備え、この記憶手段にＣＤやフロッピーディスク，あるいは通信回線等の情報伝達媒体を用いて提供される、各番組の視聴率情報を入力可能な構成としてもよい。
【００５１】
なお、上記実施の形態１，実施の形態３，および実施の形態４では、番組の送り手が定義する番組の価値に関する情報である課金額，放送画質，および放送音質を、番組情報の一部として放送により配信され、番組情報記憶手段に記憶された情報から取得するようにしていたが、これらの番組の送り手が定義する番組の価値に関する情報を、上記実施の形態５と同様に、番組情報とは別途に取得する構成としてもよい。
【００５２】
【発明の効果】
以上のように、本発明（請求項１）の情報表示装置によれば、課金情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索された前記他の番組の課金情報に応じて前記他の番組の中から表示すべき番組を特定し表示する番組情報提供手段とを備えた構成としたことから、選択した番組と同じ内容の番組を検索し、さらにその検索した番組を番組の課金額を利用してしぼり込むことができ、視聴者が最も気にしている番組の課金額が最も安くて、見たい番組を容易に提供することができる。
【００５３】
また、本発明（請求項２）の情報表示装置によれば、視聴率情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索された前記他の番組の視聴率情報に応じて前記他の番組の中から表示すべき番組を特定し表示する番組情報提供手段とを備えた構成としたことから、選択した番組と似ている番組を検索し、さらにその検索した番組を視聴率情報を利用してしぼり込むことができ、いつも見ている番組と同じような番組で、さらに現在人気がある番組を提供することができる。
【００５４】
また、本発明（請求項３）の情報表示装置によれば、放送画質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報に応じて前記他の番組の中から表示すべき番組を特定し表示する番組情報提供手段とを備えた構成としたことから、選択した番組と同じ内容の番組を検索し、さらにその検索した番組を番組の画質を考慮して絞り込むことができ、視聴者が見たい番組でもっと画質のきれいなものを容易に提供することができる。
【００５５】
また、本発明（請求項４）の情報表示装置によれば、放送音質情報を含む番組情報を記憶する番組情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報に応じて前記他の番組の中から表示すべき番組を特定し表示する番組情報提供手段とを備えた構成としたことから、選択した番組と同じ内容の番組を検索し、さらにその検索した番組を番組の音質を考慮して絞り込むことができ、視聴者が見たい番組でもっと高音質なものを容易に提供することができる。
【００５６】
また、本発明（請求項５）の情報表示装置によれば、番組情報を記憶する番組情報記憶手段と、番組毎の課金情報を記憶する課金情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の課金情報を前記課金情報記憶手段が記憶した課金情報から取得し、取得した前記他の番組の課金情報に応じて前記他の番組の中から表示すべき番組を特定し表示する番組情報提供手段とを備えた構成としたことから、選択した番組と同じ内容の番組を検索し、さらにその検索した番組を番組の課金額を利用してしぼり込むことができ、視聴者が最も気にしている番組の課金額が最も安くて、見たい番組を容易に提供することができる。
また、本発明（請求項６）の情報表示装置によれば、番組情報を記憶する番組情報記憶手段と、番組毎の視聴率情報を記憶する視聴率情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が類似の他の番組を検索し、検索した前記他の番組の視聴率情報を前記視聴率情報記憶手段が記憶した視聴率情報から取得し、取得した前記他の番組の視聴率情報に応じて前記他の番組の中から表示すべき番組を特定し表示する番組情報提供手段とを備えた構成としたことから、選択した番組と似ている番組を検索し、さらにその検索した番組を視聴率情報を利用してしぼり込むことができ、いつも見ている番組と同じような番組で、さらに現在人気がある番組を提供することができる。
また、本発明（請求項７）の情報表示装置によれば、番組情報を記憶する番組情報記憶手段と、番組毎の放送画質情報を記憶する放送画質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送画質情報を前記放送画質情報記憶手段が記憶した放送画質情報から取得し、取得した前記他の番組の放送画質情報に応じて前記他の番組の中から表示すべき番組を特定し表示する番組情報提供手段とを備えた構成したことから、選択した番組と同じ内容の番組を検索し、さらにその検索した番組を番組の画質を考慮して絞り込むことができ、視聴者が見たい番組でもっと画質のきれいなものを容易に提供することができる。
また、本発明（請求項８）の情報表示装置によれば、番組情報を記憶する番組情報記憶手段と、番組毎の放送音質情報を記憶する放送音質情報記憶手段と、前記番組情報記憶手段が記憶した番組情報に基づいて番組表を表示する番組表提供手段と、前記番組表提供手段が表示した番組表から所望の番組を選択する番組選択手段と、前記番組情報記憶手段が記憶した番組情報から前記番組選択手段にて選択された所望の番組と番組内容が同一の他の番組を検索し、検索した前記他の番組の放送音質情報を前記放送音質情報記憶手段が記憶した放送音質情報から取得し、取得した前記他の番組の放送音質情報に応じて前記他の番組の中から表示すべき番組を特定し表示する番組情報提供手段とを備えた構成としたことから、選択した番組と同じ内容の番組を検索し、さらにその検索した番組を番組の音質を考慮して絞り込むことができ、視聴者が見たい番組でもっと高音質なものを容易に提供することができる。
【図面の簡単な説明】
【図１】本発明の実施の形態１による情報表示装置の構成を示す図である。
【図２】本発明の実施の形態１による情報表示装置の動作を説明するためのフローチャート図である。
【図３】放送により配信される番組情報の内容の一例を示す図である。
【図４】番組情報に基づいて作成，表示される番組表の一例を示す図である。
【図５】本発明の実施の形態１による情報表示装置が表示する番組表示の一例を示す図である。
【図６】本発明の実施の形態２による情報表示装置の構成を示す図である。
【図７】本発明の実施の形態２による情報表示装置の動作を説明するためのフローチャート図である。
【図８】本発明の実施の形態２による情報表示装置が表示する番組表示の一例を示す図である。
【図９】本発明の実施の形態３による情報表示装置の構成を示す図である。
【図１０】本発明の実施の形態３による情報表示装置の動作を説明するためのフローチャート図である。
【図１１】本発明の実施の形態３による情報表示装置が表示する番組表示の一例を示す図である。
【図１２】本発明の実施の形態４による情報表示装置の構成を示す図である。
【図１３】本発明の実施の形態４による情報表示装置の動作を説明するためのフローチャート図である。
【図１４】本発明の実施の形態４による情報表示装置が表示する番組表示の一例を示す図である。
【図１５】本発明の実施の形態５による情報表示装置の構成を示す図である。
【図１６】本発明の実施の形態５による情報表示装置の動作を説明するためのフローチャート図である。
【図１７】ディジタル放送により配信される番組情報の内容の他の例を示す図である。
【図１８】データベースに記憶された番組の視聴率に関するデータを示す図である。
【符号の説明】
１１      番組情報記憶手段
１２      番組表提供手段
１３      モニタ
１４      カーソル提供手段
１５      カーソル位置検出手段
１６      番組選択手段
１７      安価番組提供手段
６１      番組情報記憶手段
６２      番組表提供手段
６３      モニタ
６４      カーソル提供手段
６５      カーソル位置検出手段
６６      番組選択手段
６７      高視聴率番組提供手段
９１      番組情報記憶手段
９２      番組表提供手段
９３      モニタ
９４      カーソル提供手段
９５      カーソル位置検出手段
９６      番組選択手段
９７      高画質番組提供手段
１２１      番組情報記憶手段
１２２      番組表提供手段
１２３      モニタ
１２４      カーソル提供手段
１２５      カーソル位置検出手段
１２６      番組選択手段
１２７      高音質番組提供手段
１８１      番組情報記憶手段
１８２      番組表提供手段
１８３      モニタ
１８４      カーソル提供手段
１８５      カーソル位置検出手段
１８６      番組選択手段
１８７      視聴率取得手段
１８８            データベース
１８９            高視聴率番組提供手段
１９０            視聴率情報入力手段
【図１】
0003557316.tif 000002
【図２】
0003557316.tif 000003
【図３】
0003557316.tif 000004
【図４】
0003557316.tif 000005
【図５】
0003557316.tif 000006
【図６】
0003557316.tif 000007
【図７】
0003557316.tif 000008
【図８】
0003557316.tif 000009
【図９】
0003557316.tif 000010
【図１０】
0003557316.tif 000011
【図１１】
0003557316.tif 000012
【図１２】
0003557316.tif 000013
【図１３】
0003557316.tif 000014
【図１４】
0003557316.tif 000015
【図１５】
0003557316.tif 000016
【図１６】
0003557316.tif 000017
【図１７】
0003557316.tif 000018
【図１８】
0003557316.tif 000019